【手続補正書】
【提出日】平成19年6月25日(2007.6.25)
【手続補正１】
【補正対象書類名】明細書
【補正対象項目名】特許請求の範囲
【補正方法】変更
【補正の内容】
【特許請求の範囲】  
【請求項１】  基体に設けられたディスク挿排口とディスクを戴置するターンテーブルとの間でディスクを搬送するディスク搬送手段と、
前記ディスク挿排口の近傍に配置され、ディスクと当接し、角変位する一対のアームと、
前記一対のアームを検知する検知部と、
前記ディスク挿排口と前記ターンテーブルの間に配置され、前記搬送手段により搬送されるディスクを径に関わらず検知可能な位置に設けられた光学センサと、を有し、
前記検知部の検知結果と前記光学センサの検知結果との組み合わせによって、ディスクの位置を判別することを特徴とするディスク装置。
【請求項２】  前記ディスクの位置は、前記基体内、ディスクがディスク挿排口から部分的に突出したの排出保持状態、ディスクがディスク挿排口から排出されて抜取られた抜取り状態のうちのいずれかであることを特徴とする請求項１に記載のディスク装置。
【請求項３】  前記検知部は、ディスクの位置が、前記基体内および排出保持状態のそれぞれのときディスクを検知し、
前記光学センサは、ディスクの位置が前記基体内のときのみディスクを検知することを特徴とする請求項１または２に記載のディスク装置。
【手続補正２】
【補正対象書類名】明細書
【補正対象項目名】０００４
【補正方法】変更
【補正の内容】
【０００４】
【発明が解決しようとする課題】
本発明の目的は、ディスクの位置の検出のための構成を、簡単にし、製造が容易であるディスク装置を提供することである。
【手続補正３】
【補正対象書類名】明細書
【補正対象項目名】０００５
【補正方法】変更
【補正の内容】
【０００５】
【課題を解決するための手段】
本発明は、基体に設けられたディスク挿排口とディスクを戴置するターンテーブルとの間でディスクを搬送するディスク搬送手段と、
前記ディスク挿排口の近傍に配置され、ディスクと当接し、角変位する一対のアームと、
前記一対のアームを検知する検知部と、
前記ディスク挿排口と前記ターンテーブルの間に配置され、前記搬送手段により搬送されるディスクを径に関わらず検知可能な位置に設けられた光学センサと、を有し、
前記検知部の検知結果と前記光学センサの検知結果との組み合わせによって、ディスクの位置を判別することを特徴とするディスク装置である。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
また本発明は、前記ディスクの位置は、前記基体内、ディスクの排出保持状態、ディスクの抜取り状態であることを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
また本発明は、ディスクの位置が、前記基体内および排出保持状態のそれぞれのときディスクを検知し、
前記光学センサは、ディスクの位置が前記基体内のときのみディスクを検知することを特徴とする。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
【発明の実施の形態】
図１は、本発明の実施の一形態の全体の構成を示す簡略化した平面図である。ディスク再生装置５０１において、挿入／排出口（ディスク挿排口）５０２から矢符５０３で示されるようにＤＶＤであるディスク５０４が、装置本体５０５内に挿入される。このディスク５０４は、装置本体５０５内で、回転駆動源５０６によって図１の紙面にほぼ垂直な回転軸線５０７のまわりに回転駆動されるテーブル５０８に乗載される。装置本体５０５内のディスク、たとえばテーブル５０８に乗載されたディスクは、参照符５０９で示される。このディスク５０９は、光ピックアップ５１１に備えられた対物レンズ５１２からのレーザ光を用いてそのディスク５０９の記録層の内容が読出されて再生される。光ピックアップ５１１は、光ピックアップ移動手段５２２によって移動方向５１６の前後に移動することができる。
【手続補正１４】
【補正対象書類名】明細書
【補正対象項目名】００２５
【補正方法】変更
【補正の内容】
【００２５】
図１２は、ディスク検出手段７７１の動作を説明するための平面図である。８ｃｍφの小径ディスク５１０が挿入方向５０３に挿入されるとき、このディスク５１０の外周部に、当接部材７７６，７７７が当接し、アーム７７４，７７５は開方向７８２に角変位する。これによって基体５１９に取付けられている検知部である２つの検出スイッチＳＷ１，ＳＷ２のうち、一方の検出スイッチＳＷ１のオン／オフのスイッチング状態が変化する。これによってディスク５１０の挿入が検出される。図１２では、ディスク５１０は、当接部材７７６，７７７に当接してセンタリングされた状態で、挿入方向５０３に挿入搬送される。このセンタリングされた状態というのは、ディスク５１０の中央孔７３９の軸線と、テーブル５０８の回転軸線５０７とが、挿入方向５０３と平行な縦の一仮想平面内にある状態をいう。
【手続補正１５】
【補正対象書類名】明細書
【補正対象項目名】００９１
【補正方法】変更
【補正の内容】
【００９１】
図５０は、本発明の実施の他の形態の処理手段９３１の動作を説明するためのフローチャートである。この図５０に示される実施の形態では、ディスク５０９，５１０を検出するために基体５１９には、光学的検出スイッチ（光センサ）ＳＷ３が設けられる。この光学的検出スイッチＳＷ３は、ディスク５０９，５１０の搬送経路の上下に対を成す発光素子と受光素子とを含み、ディスク５０９，５１０の存在によって光経路が遮断される構成を有していてもよく、または搬送経路のディスク５０９，５１０に光を照射し、その反射光を受光素子によって受光する構成を有していてもよく、さらにそのほか、ディスク５０９，５１０を非接触で検出する構成を有していてもよい。この実施の形態における検出スイッチＳＷ１，ＳＷ２，ＳＷ３のスイッチング状態は、表２に示されるとおりである。
【手続補正１６】
【補正対象書類名】明細書
【補正対象項目名】０１００
【補正方法】削除
【補正の内容】
【手続補正１７】
【補正対象書類名】明細書
【補正対象項目名】０１０１
【補正方法】変更
【補正の内容】
【０１０１】
【発明の効果】
本発明によれば、ディスクの排出搬送またはそのほかの動作の自動的な実行を行うことができるようになる。
【手続補正１８】
【補正対象書類名】明細書
【補正対象項目名】０１０２
【補正方法】変更
【補正の内容】
【０１０２】
また本発明によれば、ディスクが基体内にあるのか、排出保持状態にあるか抜取り状態にあるかを判定することができる。
【手続補正１９】
【補正対象書類名】明細書
【補正対象項目名】０１０３
【補正方法】削除
【補正の内容】